(57)【特許請求の範囲】
【請求項１】
カメラ本体と、該カメラ本体に交換装着可能なレンズとを備えるカメラであって、
前記レンズが、
フォーカスレンズと、
オートフォーカスモードとマニュアルフォーカスモードを切り換えるためのＡＦ／ＭＦ切り換え手段と、
マニュアルフォーカス操作部と、
前記ＡＦ／ＭＦ切り換え手段がマニュアルフォーカスモードに設定されているとき、前記マニュアルフォーカス操作部の操作量に応じた変位信号を生成する操作信号生成手段と、を有し、
前記カメラ本体が、
前記ＡＦ／ＭＦ切り換え手段が前記オートフォーカスモードに設定されており且つ前記マニュアルフォーカス操作部が操作されていないとき、ＡＦ評価値に基づいて前記フォーカスレンズを駆動制御するためのフォーカス制御信号を生成し、前記レンズに出力するフォーカス制御信号生成手段を有し、
前記フォーカス制御信号生成手段が、前記ＡＦ／ＭＦ切り換え手段が前記オートフォーカスモードに設定されており且つ前記マニュアルフォーカス操作部が操作されたとき、前記マニュアルフォーカス操作部の操作量に応じて生成された前記変位信号を用いて前記フォーカス制御信号を生成し、前記レンズに出力することを特徴とするカメラ。
【請求項２】
前記カメラ本体側で設定した任意係数を用いて、前記マニュアルフォーカス操作部の操作量と、該操作量に基づいて前記フォーカス制御信号生成手段により生成されるフォーカス制御信号との関係を、前記カメラ本体側で設定・変更可能としたことを特徴とする請求項１に記載のカメラ。
【請求項３】
フォーカスレンズと、
オートフォーカスモードとマニュアルフォーカスモードを切り換えるためのＡＦ／ＭＦ切り換え手段と、
マニュアルフォーカス操作部と、
前記ＡＦ／ＭＦ切り換え手段がマニュアルフォーカスモードに設定されているとき、前記マニュアルフォーカス操作部の操作量に応じた変位信号を生成する操作信号生成手段と、を有し、
請求項１に記載の前記カメラ本体に交換装着可能としたことを特徴とするレンズ。
【請求項４】
フォーカスレンズと、オートフォーカスモードとマニュアルフォーカスモードを切り換えるためのＡＦ／ＭＦ切り換え手段と、マニュアルフォーカス操作部と、前記ＡＦ／ＭＦ切り換え手段がマニュアルフォーカスモードに設定されているとき前記マニュアルフォーカス操作部の操作量に応じた変位信号を生成する操作信号生成手段と、を有するレンズに対して装着可能なカメラ本体であって、
前記ＡＦ／ＭＦ切り換え手段が前記オートフォーカスモードに設定されており且つ前記マニュアルフォーカス操作部が操作されていないとき、ＡＦ評価値に基づいて前記フォーカスレンズを駆動制御するためのフォーカス制御信号を生成し、前記レンズに出力するフォーカス制御信号生成手段を備え、
前記フォーカス制御信号生成手段が、前記ＡＦ／ＭＦ切り換え手段が前記オートフォーカスモードに設定されており且つ前記マニュアルフォーカス操作部が操作されたとき、前記マニュアルフォーカス操作部の操作量に応じて生成された前記変位信号を用いて前記フォーカス制御信号を生成し、前記レンズに出力することを特徴とするカメラ本体。
【発明の詳細な説明】
【技術分野】
【０００１】
本発明は、カメラ、カメラ本体に交換装着可能なレンズ及びカメラ本体に関し、特にレンズ交換可能なビデオカメラやテレビカメラ等のカメラに関するものである。
【背景技術】
【０００２】
従来の交換式レンズを含むカメラシステムにおいて、オートフォーカス機能を備え、マニュアルフォーカスも可能としたカメラシステムが知られている。
これらのカメラシステムでは、例えば特許文献１に示されているように、オートフォーカス機能を実現するためにリアフォーカス駆動方式が一般的に用いられている。また、そこでマニュアルフォーカス操作をする際は、電子リングと呼ばれるフォーカス操作部を操作してフォーカス操作を行うような方式が一般的に採られている。
なお、これらのカメラシステムは、カメラ本体と、交換式レンズを含むレンズ、からなるものを意味しているが、このカメラシステムは、以下で説明する本発明のカメラと同義のものである。
このような従来のカメラシステムを、図４から図７に示す。
図４は、このような従来のカメラシステムの構成を示す図である。
また、図５はこのようなカメラシステムにおけるフォーカスレンズ群の制御を行うレンズ側のＣＰＵの動作を説明するフローチャートであり、図６はオートフォーカス用の駆動信号の演算を行うカメラ本体側のＣＰＵの動作を説明するフローチャートである。
【０００３】
つぎに、これらの図により、従来のカメラシステムにおけるオートフォーカスモード時の動作を簡単に説明する。
図６において、オートフォーカスモードの場合、ステップ６０３においてカメラ本体側のＣＰＵ４１９はＣＣＤ４１３から出力される映像信号に基づいてＡＦ処理部４１４が生成したＡＦ評価値を入力する。
そして、ステップ６０４で該ＡＦ評価値を用いてＡＦ処理状態に応じてオートフォーカス用駆動信号を演算し、ステップ６０５でレンズ４０１に出力する。
このときカメラ本体側のＣＰＵ４１９は、いわゆる山登り方式を用いてＡＦ評価値が最大となるようにオートフォーカス駆動信号を演算し、フォーカスレンズ群４０３を駆動制御している。この山登り方式のオートフォーカス動作を説明するフローチャートを図７に示す。
【０００４】
このような山登り方式は、例えば、特許文献２に記載されているように、映像信号の中から、水平同期信号及び、垂直同期信号を検出し、映像信号処理のための基準信号を生成する。
そして基準信号より、被写体の鮮鋭度評価値に応じた信号を抽出して評価し、その信号が大きくなる方向へフォーカスレンズを移動させ、最大となるところで停止させる方式である。
この方式はオートフォーカス制御を行う際に一般的に用いられている方式であるので、これ以上の詳細な説明は省略する。
【０００５】
つぎに、このような山登り方式等を用いた上記した従来のカメラシステムにおけるオートフォーカス時の動作を説明する。
オートフォーカスモードにおいて、フォーカス操作部４０４が操作されず変位検出部４０５からの出力変位がない限り、
図５に示されるようにステップ５０９においてレンズ側のＣＰＵ４１８はカメラ本体４０２側のオートフォーカス用駆動信号出力部４１５から出力されるオートフォーカス用駆動信号をオートフォーカス用駆動信号入力部４０９に入力する。
それと共に、ステップ５１０でレンズ位置検出部４０７からレンズ位置信号を入力する。そして、ステップ５１１でこれらのオートフォーカス用駆動信号とレンズ位置信号とを用いて、フォーカス制御演算を行ってモータを駆動し、被写体に合焦するようにフォーカスレンズ群４０３を制御する。
【０００６】
これに対して、このようなオートフォーカスモード時に、フォーカス操作部４０４が操作されると、図５に示されるようにステップ５０８においてステップ５０３からステップ５０６の作動に移行する。
すなわち、レンズ側のＣＰＵ４１８は、カメラ本体４０２から入力されるオートフォーカス用駆動信号の使用を中止する。そして、ステップ５０３において変位検出部４０５の出力からマニュアルフォーカス用駆動信号を演算し、このマニュアルフォーカス用駆動信号をフォーカス駆動信号とする。
そして、ステップ５０４でフォーカス変位信号をカメラ本体に出力する一方、ステップ５０５でフィードバック信号に相当するレンズ位置検出部４０７の出力であるレンズ位置信号を入力する。
そして、ステップ５０６でこれらのフォーカス駆動信号と位置信号を用いてフォーカス制御演算を行ってモータを駆動し、フォーカスレンズ群４０３を制御する。
この後レンズ側のＣＰＵ４１８は、オートフォーカスモードからマニュアルフォーカスモードに移行したことをカメラ本体側のＣＰＵ４１９に送信し、カメラ本体側のＣＰＵ４１９のオートフォーカス処理を一旦終了させる。
カメラ本体側のＣＰＵ４１９はこれを受け、オートフォーカス動作を再起動待ちに設定変更し、レンズから再度オートフォーカスモードへの移行を示すデータが送信されることを待つ（図６のステップ６０６参照）。
以上に説明したように、従来のカメラシステムにおいては、レンズ側のＣＰＵ４１９はフォーカス操作部が操作されることにより、オートフォーカスモードからマニュアルフォーカスモードに自動的に移行する方式が採られていた。
【特許文献１】特開平１−２８０７０９号公報
【特許文献２】特開平６−６２３０５号公報
【発明の開示】
【発明が解決しようとする課題】
【０００７】
しかしながらオートフォーカス動作は、その性質上必ずしも撮影者の意図した被写体に合焦するとは限らない。
そのためオートフォーカス動作中に撮影者がフォーカス操作部を操作して、別の合焦点にフォーカスレンズを駆動し、オートフォーカス動作を再起動させることがある。
そのような場合、上記従来例では、オートフォーカスモード時にフォーカス操作部が操作されても、レンズ側だけでフォーカス制御が完結し、フォーカス操作部の操作量と、フォーカスレンズ群の駆動量との関係などをカメラ本体側で設定・変更することができなかった。
【０００８】
そこで、本発明は、上記課題を解決し、オートフォーカスモード時に撮影者がフォーカス操作部を操作した際においても、フォーカス操作部の操作量に応じた制御をすることができ、
また、フォーカスレンズ群の駆動量との関係などをカメラ本体側で設定・変更することが可能となり、フォーカス操作性を向上させることができるカメラ、カメラ本体に交換装着可能なレンズ及びカメラ本体を提供することを目的とするものである。
【課題を解決するための手段】
【０００９】
本発明は、以下のように構成したカメラ、カメラ本体に交換装着可能レンズ及びカメラ本体を提供するものである。
すなわち、本発明のカメラは、カメラ本体と、該カメラ本体に交換装着可能なレンズとを備えるカメラであって、
前記レンズが、
フォーカスレンズと、
オートフォーカスモードとマニュアルフォーカスモードを切り換えるためのＡＦ／ＭＦ切り換え手段と、
マニュアルフォーカス操作部と、
前記ＡＦ／ＭＦ切り換え手段がマニュアルフォーカスモードに設定されているとき、前記マニュアルフォーカス操作部の操作量に応じた変位信号を生成する操作信号生成手段と、を有し、
前記カメラ本体が、
前記ＡＦ／ＭＦ切り換え手段が前記オートフォーカスモードに設定されており且つ前記マニュアルフォーカス操作部が操作されていないとき、ＡＦ評価値に基づいて前記フォーカスレンズを駆動制御するためのフォーカス制御信号を生成し、前記レンズに出力するフォーカス制御信号生成手段を有し、
前記フォーカス制御信号生成手段が、前記ＡＦ／ＭＦ切り換え手段が前記オートフォーカスモードに設定されており且つ前記マニュアルフォーカス操作部が操作されたとき、前記マニュアルフォーカス操作部の操作量に応じて生成された前記変位信号を用いて前記フォーカス制御信号を生成し、前記レンズに出力することを特徴としている。
また、本発明のカメラは、前記カメラ本体側で設定した任意係数を用いて、前記マニュアルフォーカス操作部の操作量と、該操作量に基づいて前記フォーカス制御信号生成手段により生成されるフォーカス制御信号との関係を、前記カメラ本体側で設定・変更可能としたことを特徴としている。
また、本発明のレンズは、フォーカスレンズと、
オートフォーカスモードとマニュアルフォーカスモードを切り換えるためのＡＦ／ＭＦ切り換え手段と、
マニュアルフォーカス操作部と、
前記ＡＦ／ＭＦ切り換え手段がマニュアルフォーカスモードに設定されているとき、前記マニュアルフォーカス操作部の操作量に応じた変位信号を生成する操作信号生成手段と、を有し、
上記したカメラ本体に交換装着可能としたことを特徴としている。
また、本発明のカメラ本体は、フォーカスレンズと、オートフォーカスモードとマニュアルフォーカスモードを切り換えるためのＡＦ／ＭＦ切り換え手段と、マニュアルフォーカス操作部と、前記ＡＦ／ＭＦ切り換え手段がマニュアルフォーカスモードに設定されているとき前記マニュアルフォーカス操作部の操作量に応じた変位信号を生成する操作信号生成手段と、を有するレンズに対して装着可能なカメラ本体であって、
前記ＡＦ／ＭＦ切り換え手段が前記オートフォーカスモードに設定されており且つ前記マニュアルフォーカス操作部が操作されていないとき、ＡＦ評価値に基づいて前記フォーカスレンズを駆動制御するためのフォーカス制御信号を生成し、前記レンズに出力するフォーカス制御信号生成手段を備え、
前記フォーカス制御信号生成手段が、前記ＡＦ／ＭＦ切り換え手段が前記オートフォーカスモードに設定されており且つ前記マニュアルフォーカス操作部が操作されたとき、前記マニュアルフォーカス操作部の操作量に応じて生成された前記変位信号を用いて前記フォーカス制御信号を生成し、前記レンズに出力することを特徴としている。
【発明の効果】
【００１０】
本発明によれば、オートフォーカスモード時に撮影者がフォーカス操作部を操作した際においても、フォーカス操作部の操作量に応じた制御をすることができ、
また、フォーカスレンズ群の駆動量との関係などをカメラ本体側で設定・変更することが可能となり、フォーカス操作性を向上させることができるカメラ、カメラ本体に交換装着可能なレンズ及びカメラ本体を実現することができる。
【発明を実施するための最良の形態】
【００１１】
本発明を実施するための最良の形態を、以下の実施例により説明する。
【実施例】
【００１２】
図１に、本発明の実施例におけるカメラの構成を示す。
また、図２にこのようなカメラにおけるフォーカスレンズ群の制御を行うレンズ側のＣＰＵの動作を説明するフローチャートを示し、図３にはオートフォーカス用の駆動信号の演算を行うカメラ本体側のＣＰＵの動作を説明するフローチャートを示す。
まず、図１により本実施例のカメラの構成について説明する。
図１において、１０１は交換式のレンズ、１０２は交換式のレンズを着脱可能なカメラ本体、１０３は焦点調節用のフォーカスレンズ群、１０４はフォーカスレンズ群３を制御するためのフォーカス操作部である。
また、１０５はフォーカス操作部１０４の操作量を検出するための変位検出部、１０６は変位検出部１０５の出力からマニュアルフォーカス制御信号を生成するＭＦ駆動信号生成部である。
１０７は変位検出部１０５の出力をカメラ本体１０２に出力するための変位信号出力部、１０８はフォーカスレンズ群１０３の位置を検出するための位置検出部である。
１０９は位置検出部１０８の出力に基づいてフォーカスレンズ群１０３の位置情報をカメラ本体１０２に出力するためのレンズ位置情報出力部である。
【００１３】
１１０はカメラ本体１０２からのオートフォーカス用駆動信号を入力するためのＡＦ駆動信号入力部、１１１はオートフォーカスモードとマニュアルフォーカスモードを切換えるためのＡＦ／ＭＦ切換手段である。
また、１１２はマニュアルフォーカス制御信号およびフォーカスレンズ群１０３の位置情報、オートフォーカス用駆動信号、ＡＦ／ＭＦ切換手段の状態に基づいてフォーカスレンズ群１０３の制御演算を行い、モータ１１３を駆動するためのモータ駆動信号を演算するフォーカス制御部である。
１１３はフォーカスレンズ群１０３を駆動するためのモータ、１１４はフォーカスレンズ群１０３および不図示の光学系を介して結像された像を光電変換するＣＣＤである。
１１５はＣＣＤ１１４の出力である映像信号に基づいてオートフォーカス演算を行い、合焦するにしたがってその値が大きくなるＡＦ評価値を生成するＡＦ処理部である。
１１６はＡＦ評価値が増加するようにフォーカスレンズ群１０３を駆動するための駆動信号を生成し、レンズ１０１に出力するためのＡＦ用駆動信号出力部である。
１１７はフォーカスレンズ群１０３の位置情報を入力するためのレンズ位置情報入力部、１１８はレンズ１０１からフォーカス操作部１０４の操作量に応じた変位信号を入力する変位信号入力部である。
１１９はＣＣＤ１１４の出力である映像信号を標準テレビ信号に変換するためのプロセス部である。
【００１４】
本実施例では、レンズ１０１にＣＰＵ１２０を構成し、またカメラ本体１０２にＣＰＵ１２１を構成している。
ＭＦ駆動信号生成部１０６および変位信号出力部１０７、レンズ位置情報出力部１０９、ＡＦ駆動信号入力部１１０、フォーカス制御部１１２がレンズ側のＣＰＵ１２０に相当する。
また、ＡＦ駆動信号出力部１１６、レンズ位置情報入力部１１７、変位信号入力部１１８がカメラ本体側のＣＰＵ１２１に相当する。
【００１５】
以下に、図２のフローチャートを用いて本実施例におけるレンズ側のＣＰＵ１２０の動作を説明する。
レンズ側のＣＰＵ１２０は、まずステップ２０１で現在のフォーカスモードがオートフォーカスかマニュアルフォーカスかを判断するために、ＡＦ／ＭＦ切換部１１１の状態を入力する。
ステップ２０２で入力したＡＦ／ＭＦ切換部の状態を判断し、マニュアルフォーカスモードの場合は、レンズ側だけでフォーカス制御を行うようにステップ２０３に進む。
そして、フォーカス操作部１０４の操作量に応じたフォーカス駆動信号を生成するために、変位検出部１０５の出力を用いてマニュアルフォーカス駆動信号を演算する。
【００１６】
ステップ２０４では、カメラ本体１０２でフォーカス操作部１０４の操作状態を把握できるようにするために、変位検出部１０５の出力信号をレンズ側の変位信号出力部１０７から、カメラ本体１０２側の変位信号入力部１１８に出力する。
ステップ２０５では、フォーカスレンズ制御演算時に必要なフォーカスレンズ群１０３の位置情報を把握するために、レンズ位置検出部１０８から位置情報をレンズ側のレンズ位置情報出力部１０９から出力し、この出力情報をカメラ本体１０２側のレンズ位置情報入力部１１７に入力する。
【００１７】
ステップ２０６では、フォーカスの指令信号であるマニュアルフォーカス駆動信号と、フィードバック信号であるフォーカスレンズ群１０３の位置情報を用いてフォーカス制御演算を行う。
そしてステップ２０７でフォーカス制御演算の結果をモータ１１３に出力し、フォーカスレンズ群１０３をフォーカス操作部１０４の操作量に応じてマニュアルフォーカス駆動する。
ここまでが、フォーカス操作部の操作量に応じてフォーカスレンズ群１０３を駆動するマニュアルフォーカスモードにおける動作である。マニュアルフォーカスモードは、上記のようにレンズ側のＣＰＵのみで制御を行うモードである。
【００１８】
他方、ステップ２０２において、ＡＦ／ＭＦ切換部がオートフォーカスモードの場合には、ステップ２０８にジャンプする。
ステップ２０８ではカメラ本体１０２でフォーカス操作部１０４の操作状態を把握できるようにするために、変位検出部１０５の出力信号をカメラ本体１０２に出力する。
ここで、フォーカス操作部１０４が操作されていない場合、
ステップ２０９でカメラ本体側のＣＰＵ１２１で演算したオートフォーカス駆動信号に応じてフォーカスレンズ群１０３を駆動するために、カメラ側のＡＦ駆動信号出力部１１６からの出力信号を、レンズ側のＡＦ駆動信号入力部１１０に入力する。
【００１９】
つづいて、ステップ２１０では、現在のフォーカスレンズ群１０３の位置を把握するために、レンズ位置検出部１０８からフォーカスレンズ群１０３の位置情報を入力する。
そしてステップ２１１で、オートフォーカスモードにおけるフォーカスの指令信号であるオートフォーカス用駆動信号と、フィードバック信号に相当するフォーカスレンズ群１０３の位置情報を用いてフォーカス制御演算を行う。
その演算結果をステップ２１２でモータ１１３に出力し、被写体に合焦するようにフォーカスレンズ群１０３をオートフォーカス駆動する。
このようにオートフォーカスモード時は、ＣＣＤ１１４から出力される映像信号に基づいてオートフォーカス駆動信号をカメラ本体側のＣＰＵ１２１で演算し、レンズ側のＣＰＵ１２０はそのオートフォーカス駆動信号に応じてフォーカスレンズ群１０３の制御を行う。
【００２０】
これに対して、オートフォーカスモード時、撮影者が意図した被写体に合焦させるため、フォーカス操作部１０４を操作した場合、
本実施例のカメラにおいては、カメラ本体１０２からのオートフォーカス用駆動信号を用いて、つぎのようにフォーカスレンズ群１０３の制御を行うように構成されている。
すなわち、本実施例のカメラにおいては、上記したようにＡＦ／ＭＦ切換部がオートフォーカスモードの場合には、ステップ２０８において、カメラ本体１０２でフォーカス操作部１０４の操作状態を把握できるようにするために、変位検出部１０５の出力信号がカメラ本体１０２に出力される。
これによりフォーカス操作部１０４の操作量に応じた変位信号がレンズ１０１からカメラ本体１０２に送信され、カメラ本体１０２側でこの変位信号を用いて上記したステップ２１１でフォーカス駆動信号が演算される。
そして、このカメラ本体側のＣＰＵ１２１で演算したオートフォーカス駆動信号をカメラ側のＡＦ駆動信号出力部１１６から出力し、レンズ側のＡＦ駆動信号入力部１１０に入力して、このオートフォーカス駆動信号に応じてフォーカスレンズ群１０３を駆動する。
【００２１】
次に、図３のフローチャートを用いて、本実施例におけるカメラ本体側のＣＰＵ１２１の動作を説明する。
カメラ本体側のＣＰＵ１２１は、まずステップ３０１でフォーカス操作部が操作されたかどうかを把握するために、レンズ１０１からフォーカス操作部１０４の操作量に応じた変位信号を入力する。
ステップ３０２で入力した変位信号の値を判断し、
変位信号が０の場合、つまりフォーカス操作部１０４が操作されていない場合は、オートフォーカス用駆動信号を生成するためにステップ３０３でＡＦ処理部１１５から被写体への合焦度に対応したＡＦ評価値を入力する。
ステップ３０４では、より被写体への合焦度をあげるために、入力したＡＦ評価値を用いて、方向判定・山登り判定・頂上判定・再起動まちの各ＡＦ処理状態に応じたオートフォーカス用駆動信号を演算する。
そして、ステップ３０５で、得られたオートフォーカス用駆動信号に応じてフォーカスレンズ群１０３を駆動するために、オートフォーカス用駆動信号をフォーカス制御部１１２のあるレンズ１０１に出力する。
【００２２】
また、ステップ３０２において、レンズ１０１から入力した変位信号が０以外の場合、つまりフォーカス操作部１０４が操作されている場合は、マニュアルフォーカスモードに移行する。
ステップ３０６にジャンプし、入力した変位信号とカメラ本体１０２側で任意に設定可能な１つ以上の係数を用いて、フォーカス操作部１０４の操作量に応じたマニュアルフォーカス用駆動信号を演算する。
そしてステップ３０７でフォーカス駆動信号をレンズ１０１に出力し、ステップ３０８でオートフォーカス処理状態は再起動待ちに設定する。
【００２３】
このとき、ＡＦ／ＭＦ切換部１１１がオートフォーカスモードに設定されている場合は、レンズ側のＣＰＵ１２０は、カメラ本体側のマニュアルフォーカス駆動信号に応じてフォーカスレンズ群１０３を駆動する。
また、ＡＦ／ＭＦ切換部がマニュアルフォーカスモードの場合は、レンズ側のＭＦ駆動信号生成部で生成されたマニュアルフォーカス駆動信号に応じてフォーカスレンズ群１０３を駆動する。
【００２４】
このように本実施例においては、レンズ１０１はオートフォーカスモードの場合は、常時カメラ本体１０２から送信されたフォーカス駆動信号に応じてフォーカスレンズ群１０３を制御するように構成される。
このオートフォーカスモード時にフォーカス操作部１０４が操作された場合、フォーカス操作部１０４の操作量に応じた変位信号がレンズ１０１からカメラ本体１０２に送信される。
そして、カメラ本体１０２側でこの変位信号を用いてオートフォーカス駆動信号を演算し、このオートフォーカス駆動信号に応じて、フォーカスレンズ群１０３を駆動するように構成されている。
したがって、これによれば、オートフォーカスモード時におけるフォーカス操作部１０４の操作量と、フォーカスレンズ群の駆動量との関係がカメラ本体側で設定・変更され、意図したフォーカス操作と、オートフォーカス性能の向上を図ることが可能となる。
【図面の簡単な説明】
【００２５】
【図１】本発明の実施例におけるカメラの構成を示す図。
【図２】本発明の実施例のカメラにおけるフォーカスレンズ群の制御を行うレンズ側のＣＰＵの動作を説明するフローチャート。
【図３】本発明の実施例のオートフォーカス用の駆動信号の演算を行うカメラ本体側のＣＰＵの動作を説明するフローチャート。
【図４】従来のカメラシステムの構成を示す図。
【図５】従来例のカメラシステムにおけるフォーカスレンズ群の制御を行うレンズ側のＣＰＵの動作を説明するフローチャート。
【図６】従来例のカメラシステムにおけるオートフォーカス用の駆動信号の演算を行うカメラ本体側のＣＰＵの動作を説明するフローチャート。
【図７】従来例における山登り方式のオートフォーカス動作を説明するフローチャート。
【符号の説明】
【００２６】
１０１：レンズ
１０２：カメラ本体
１０３：フォーカスレンズ群
１０４：フォーカス操作部
１０５：変位検出部
１０６：マニュアルフォーカス（ＭＦ）駆動信号生成部
１０７：変位信号出力部
１０８：レンズ位置検出部
１０９：レンズ位置情報出力部
１１０：オートフォーカス（ＡＦ）駆動信号入力部
１１１：ＡＦ／ＭＦ切換部
１１２：フォーカス制御部
１１３：モータ
１１４：ＣＣＤ
１１５：オートフォーカス（ＡＦ）処理部
１１６：オートフォーカス（ＡＦ）駆動信号出力部
１１７：レンズ位置情報入力部
１１８：変位信号入力部
１１９：プロセス部
１２０：レンズ側のＣＰＵ
１２１：カメラ本体側のＣＰＵ
４０１：レンズ
４０２：カメラ本体
４０３：フォーカスレンズ群
４０４：フォーカス操作部
４０５：変位検出部
４０６：マニュアルフォーカス（ＭＦ）駆動信号生成部
４０７：レンズ位置検出部
４０８：レンズ位置情報出力部
４０９：オートフォーカス（ＡＦ）駆動信号入力部
４１０：ＡＦ／ＭＦ切換部
４１１：フォーカス制御部
４１２：モータ
４１３：ＣＣＤ
４１４：オートフォーカス（ＡＦ）処理部
４１５：オートフォーカス（ＡＦ）駆動信号出力部
４１６：レンズ位置情報入力部
４１７：プロセス部
４１８：レンズ側のＣＰＵ
４１９：カメラ本体側のＣＰＵ
【図１】
0004578793.tif 000002
【図２】
0004578793.tif 000003
【図３】
0004578793.tif 000004
【図４】
0004578793.tif 000005
【図５】
0004578793.tif 000006
【図６】
0004578793.tif 000007
【図７】
0004578793.tif 000008